(57)【要約】 【課題】本発明は、育苗ポットを載置するための育苗用ベンチに関する発明である。【解決手段】本発明は左屈曲部４ａを形成した略Ｌ字型の左伸縮枠４を左屈曲部６ａに取り付け、右屈曲部５ａを形成した略Ｌ字型の右伸縮枠５を右屈曲部６ｂに取り付けた略コ字型の前枠６と、左枠屈曲部２ａを形成した略Ｌ字型の左枠２を左屈曲部７ａに取り付け、右枠屈曲部３ａを形成した略Ｌ字型の右枠３を右屈曲部７ｂに取り付けた略コ字型の後枠７と、前記左右枠２、３間又は左右伸縮枠４、５間の上面に渡すように取り付ける複数本の渡し棒８とからなり、前記左枠２の連結部２ｂに左伸縮枠４の挿入部４ｂを挿通し、前記右枠３の連結部３ｂに右伸縮枠５の挿入部５ｂを挿通して前後枠６、７が連結されたことを特徴とする育苗用ベンチ１の構成とした。【選択図】  図１
2009219400.tif 000002
【特許請求の範囲】
【請求項１】
左屈曲部４ａを形成した略Ｌ字型の左伸縮枠４を左屈曲部６ａに取り付け、右屈曲部５ａを形成した略Ｌ字型の右伸縮枠５を右屈曲部６ｂに取り付けた略コ字型の前枠６と、
左枠屈曲部２ａを形成した略Ｌ字型の左枠２を左屈曲部７ａに取り付け、右枠屈曲部３ａを形成した略Ｌ字型の右枠３を右屈曲部７ｂに取り付けた略コ字型の後枠７と、
前記左右枠２、３間又は左右伸縮枠４、５間の上面に渡すように取り付ける複数本の渡し棒８とからなり、
前記左枠２の連結部２ｂに左伸縮枠４の挿入部４ｂを挿通し、前記右枠３の連結部３ｂに右伸縮枠５の挿入部５ｂを挿通して前後枠６、７が連結されたことを特徴とする育苗用ベンチ１。
【発明の詳細な説明】
【技術分野】
【０００１】
本発明は、育苗ポットを載置するための育苗用ベンチに関する発明である。
【背景技術】
【０００２】
従来、育苗ポットは、直接地上に並べられたり、また、専用の架台等を使用して並べられたりしていた。
【０００３】
しかしながら、育苗ポットが地上に並べられた状態では作業をする場合に屈んだり腰を曲げながら作業しなければならず、肉体的に辛く、また効率のよい方法ではなかった。
【０００４】
また、前記のような屈んだり腰を曲げながらの作業を解消するために専用の架台等を使用して立った状態で作業ができるものもあるが専用の架台では設置コストがかかるため、作業台を転用することもあった。しかし、これらの作業台では使用しない場合に片付けることができず邪魔になっていた。
【特許文献１】実願平９−５３８８号
【発明の開示】
【発明が解決しようとする課題】
【０００５】
そこで、本発明は、容易に組み立てることができ、また使用しない場合に簡単には折り畳んでおくことができる育苗用ベンチを提供することを目的とするものである。
【課題を解決するための手段】
【０００６】
本発明は、上記の課題を解決するために、左屈曲部４ａを形成した略Ｌ字型の左伸縮枠４を左屈曲部６ａに取り付け、右屈曲部５ａを形成した略Ｌ字型の右伸縮枠５を右屈曲部６ｂに取り付けた略コ字型の前枠６と、左枠屈曲部２ａを形成した略Ｌ字型の左枠２を左屈曲部７ａに取り付け、右枠屈曲部３ａを形成した略Ｌ字型の右枠３を右屈曲部７ｂに取り付けた略コ字型の後枠７と、前記左右枠２、３間又は左右伸縮枠４、５間の上面に渡すように取り付ける複数本の渡し棒８とからなり、前記左枠２の連結部２ｂに左伸縮枠４の挿入部４ｂを挿通し、前記右枠３の連結部３ｂに右伸縮枠５の挿入部５ｂを挿通して前後枠６、７が連結されたことを特徴とする育苗用ベンチ１の構成とした。
【発明の効果】
【０００７】
本発明の育苗用ベンチは簡易構造であるため容易に組み立てることができ設置コストも低廉である。
【０００８】
また、使用しない場合には、折り畳んでおくことができるため邪魔にならない。
【発明を実施するための最良の形態】
【０００９】
容易に組み手他可能で設置コストが低廉である育苗用ベンチという目的を、折り畳み可能とすることによって実現した。
【実施例１】
【００１０】
以下、図１から図５を使用して、本発明である育苗用ベンチ１を構成する各部材及び設置方法並びに折り畳み方法を説明することとする。
【００１１】
図１は本発明である育苗用ベンチの全体図、図２は育苗用ベンチの分解斜視図、図３は育苗用ベンチを折り畳んだ状態を示した図、図４は育苗用ベンチの分解図、図５は育苗用ベンチの折り畳み順を示した平面図である。
【００１２】
図１から図４に示すように、本発明である育苗用ベンチ１は、
左屈曲部４ａを形成した略Ｌ字型の左伸縮枠４を左屈曲部６ａに取り付け、右屈曲部５ａを形成した略Ｌ字型の右伸縮枠５を右屈曲部６ｂに取り付けた略コ字型の前枠６と、
左枠屈曲部２ａを形成した略Ｌ字型の左枠２を左屈曲部７ａに取り付け、右枠屈曲部３ａを形成した略Ｌ字型の右枠３を右屈曲部７ｂに取り付けた略コ字型の後枠７と、
前記左右枠２、３間又は左右伸縮枠４、５間の上面に渡すように取り付ける複数本の渡し棒８とからなり、
前記左枠２の連結部２ｂに左伸縮枠４の挿入部４ｂを挿通し、前記右枠３の連結部３ｂに右伸縮枠５の挿入部５ｂを挿通して前後枠６、７が連結されている。
【００１３】
図２及び図４に示すように、前記左枠２は一端に左枠屈曲部２ａを形成した略Ｌ字型の中空パイプであり、左枠２の先端及び左枠屈曲部２ａの先端は連結部２ｂ、２ｃとなっている。
【００１４】
前記右枠３は左枠２と同径同大である。即ち、右枠３は一端に右枠屈曲部３ａを形成した略Ｌ字型の中空パイプであり、右枠３の先端及び右枠屈曲部３ａの先端は連結部３ｂ、３ｃとなっている。
【００１５】
前記左伸縮枠４は一端に左屈曲部４ａを形成した略Ｌ字型の中空パイプであり、左伸縮枠４の先端は挿入部４ｂとなっており、左屈曲部４ａの先端は連結部４ｃとなっている。
【００１６】
前記右伸縮枠５は左伸縮枠４と同径同大である。即ち、右伸縮枠５は一端に右屈曲部５ａを形成した略Ｌ字型の中空パイプであり、右伸縮枠５の先端は挿入部５ａとなっており、右屈曲部５ａの先端は連結部５ｃとなっている。
【００１７】
以上のように、左右枠２、３及び左右伸縮枠４、５はそれぞれ略Ｌ字型をした中空のパイプでほぼ同じ大きさをしており、径だけが異なる。即ち、左右枠２、３の径より左右伸縮枠４、５の径の方が小さい。
【００１８】
前記前枠６は左右端に左右屈曲部６ａ、６ｂを形成した略コ字型の中空パイプであり、左右屈曲部６ａ、６ｂの先端は左右挿入部６ｃ、６ｄとなっている。
【００１９】
前記後枠７は左右端に左右屈曲部７ａ、７ｂを形成した略コ字型の中空パイプであり、左右屈曲部７ａ、７ｂの先端は左右挿入部７ｃ、７ｄとなっている。
【００２０】
以上のように、前後枠６、７はそれぞれ略コ字型をした中空のパイプでほぼ同じ大きさをしており、径だけが異なる。即ち、前枠６の径よりも後枠７の径の方が大きい。また、前枠６の径は前記左右伸縮枠４、５の径よりも小さく、後枠７の径は左右枠２、３よりも小さい。
【００２１】
前記渡し棒８は一本のパイプであり、一端は径の小さい挿入部８ａを形成し、他端は連結部８ｂとなっている。前記挿入部８ａ以外の径の太さは均一であり、当然前記挿入部８ａの径よりも大きい。長さについては前後枠６、７よりも長くなければならない。
【００２２】
図２に示すように、以上の各部材を連結する。まず、前枠６の左挿入部６ｃを左伸縮枠４の連結部４ｃ内に挿通して連結し、同様に右挿入部６ｄを右伸縮枠５の連結部５ｃ内に挿通して連結する。
【００２３】
次に、後枠７の左挿入部７ｃを左枠２の連結部２ｃ内に挿通して連結し、同様に右挿入部７ｄを右枠３の連結部３ｃ内に挿通して連結する。
【００２４】
最後に左伸縮枠４の挿入部４ｂを左枠２の連結部２ｂ内に挿入し、同様に右伸縮枠５の挿入部５ｂを右枠３の連結部３ｂ内に挿通して、前後枠６、７を連結する。
【００２５】
以上のように形成された育苗用ベンチ１は、左右が垂直に起立しており、更に前後に伸縮可能な枠体であり、左右枠２、３間又は左右伸縮枠４、５間に渡し棒８を平行に設置することで複数の育苗ポット９を置くことができる。
【００２６】
また、図５に示すように、左右枠２、３と左右伸縮枠４、５を最も縮ませた状態で左右枠２、３及び左右伸縮枠４、５を傾かせることにより前後枠６、７が近づき、図５の下図に示すように最後には前後枠６、７が接触した状態となる。この状態を正面より見た図が図３である。
【００２７】
図３及び図５の下図に示した状態にすることで持ち運びが容易となり、また、使用しない場合にビニールハウスや納屋の隅に片付けておくことができる。
【００２８】
尚、特に限定するものではないが、各部材のサイズは次に通りである。左右枠２、３は径２５ミリ、左右伸縮枠４、５は径２２ミリ、前枠６は径１９ミリ、後枠７は径２２ミリである。但し、左右枠２、３の径を最も大きくすることで、毎日の灌水作業の水が後枠７内に入らなくなるため、前述の径でない場合であっても、左右枠２、３の径が最も大きいことが望ましい。
【００２９】
また、左右枠２、３の左右枠屈曲部２ａ、３ａ及び左右伸縮枠４、５の左右屈曲部４ａ、５ａの長さは２５０ミリであり、残りの部分の長さは７５０ミリである。
【００３０】
前後枠６、７の左右屈曲部６ａ、７ａ、６ｂ、７ｂの長さは２５０ミリ、残りの部分の長さは１５００ミリである。
【００３１】
次に図６及び図７を使用して、本発明である育苗用ベンチ１の使用例を説明することとする。図６及び図７は本発明である育苗用ベンチの使用状態を示した図である。
【００３２】
図６では、横置きの育苗ポット９の幅に合わせて４本の渡し棒８を平行に設置し、育苗用ベンチ１の縦幅をあまり広げない状態となっている。その為、育苗用ベンチ１に置くことのできる育苗ポット９の数は少ない。
【００３３】
図７では、縦置きの育苗ポット９の幅に合わせて４本の渡し棒８を平行に設置し、育苗用ベンチ１の縦幅を広げた状態となっている。この場合、一列に並べることができる育苗ポット９の数が増えるため、図６よりも多くの育苗ポット９を置くことができる。
【００３４】
更に、図７では長めの渡し棒８を使用することで、育苗用ベンチ１の外側にも育苗ポット９を置くことが可能となっている。また、前記渡し棒８は左右端に挿入部８ａと連結部８ｂを形成しているため、他の育苗用ベンチ１上にある渡し棒８と連結することができ、これによりさらに多くの育苗ポット９を並べることができる。
【００３５】
以上のように、育苗用ベンチ１の縦幅を広げて長めの渡し棒８を使用したり、渡し棒８同士を連結することにより育苗用ポット９の数を増やすことができる。
【図面の簡単な説明】
【００３６】
【図１】本発明である育苗用ベンチの全体図である。
【図２】本発明である育苗用ベンチの分解斜視図である。
【図３】本発明である育苗用ベンチを折り畳んだ状態を示した図である。
【図４】本発明である育苗用ベンチの分解図である。
【図５】本発明である育苗用ベンチの折り畳み順を示した平面図である。
【図６】本発明である育苗用ベンチの使用状態を示した図である。
【図７】本発明である育苗用ベンチの使用状態を示した図である。
【符号の説明】
【００３７】
１      育苗用ベンチ
２      左枠
２ａ    左枠屈曲部
２ｂ    連結部
２ｃ    連結部
３      右枠
３ａ    右枠屈曲部
３ｂ    連結部
３ｃ    連結部
４      左伸縮枠
４ａ    左屈曲部
４ｂ    挿入部
４ｃ    連結部
５      右伸縮枠
５ａ    右屈曲部
５ｂ    挿入部
５ｃ    連結部
６      前枠
６ａ    左屈曲部
６ｂ    右屈曲部
６ｃ    左挿入部
６ｄ    右挿入部
７      後枠
７ａ    左屈曲部
７ｂ    右屈曲部
７ｃ    左挿入部
７ｄ    右挿入部
８      渡し棒
８ａ    挿入部
８ｂ    連結部
９      育苗ポット
９ａ    トレー
９ｂ    ポット
９ｃ    苗
【図１】
2009219400.tif 000003
【図２】
2009219400.tif 000004
【図３】
2009219400.tif 000005
【図４】
2009219400.tif 000006
【図５】
2009219400.tif 000007
【図６】
2009219400.tif 000008
【図７】
2009219400.tif 000009